(57)【要約】      （修正有）【課題】掛け布団カバーの肩ぐちから入る冷たい風や空気が肩を冷やすのを防ぎ、また、唇などで汚れた場合に洗うのが容易な掛け布団カバーのえりに掛ける布を提供する。【解決手段】掛け布団カバー１や毛布カバーの上部の上面と下面にボタンホールを備えることにより布、バスタオルなどのボタンを下面のボタンホールに止めずに垂れ下げておけば、冷たい空気が肩ぐちから入るのを防ぎ掛け布団の中の暖かい空気を外部に出さない。暖かい時には下面の掛け布団カバーや毛布カバーのボタンホールにボタンが付いた布３やバスタオルのボタンを止めておけば涼しくなる。掛け布団カバーや毛布カバーなどに備えたボタンホールに止めた布はボタンを外すと家庭で洗う事が出来る。【選択図】図３
0003199056.tif 000002
【実用新案登録請求の範囲】
【請求項１】
上部の肩側または下部の足の側にボタンホールまたはボタンを通して止めることが出来る穴のある刺繍を備えた掛け布団カバー及び毛布カバー、及び毛・木綿などの素材や織り方に関係なく上部の襟もとにボタンホールまたはボタンを通して止めることが出来る穴のある刺繍を備えた毛布、タオルケット、カーゼケット、それらに被せる布。
【請求項２】
掛け布団カバー、毛布カバー及び毛布、タオルケット、ガーゼケットなど肩の側の上部又は足の側の下部に設けたボタンホールまたはボタンを通して止めることが出来る穴のある刺繍に嵌めるボタンまたはそのボタンに嵌めるボタンホールを備え、カバーなどの襟元に被せる為に袋状になっていない左右両側面共開いた布。
【考案の詳細な説明】
【技術分野】
【０００１】  本考案は掛け布団カバーや毛布カバーの肩や唇側の上部、足側の下部にボタンホールを備え、左右が袋状になっていないボタンのついた布やバスタオルなどを掛け布団カバーや毛布カバーのボタンホールにとめて、掛け布団カバーや毛布カバーの肩口から入る冷たい風・空気を遮断し、また唇などの汚れを洗濯できるようにしたボタンで取り外せる布をつける事の出来る掛け布団カバーなどと襟もとに被せるボタンのついた洗濯できる布に関するものである。
【背景技術】
【０００２】  従来、掛け布団カバーや毛布をカバーの側面にファスナーやスナップなどをつけていたが掛け布団や毛布を出し入れする為で、それはカバーの横に有って肩ぐちから入る冷たい風や空気を防ぐものではなかった。掛け布団カバーや毛布カバーの側面にあって、肩ぐちから入る冷たい風や空気を防いだり、掛け布団カバーや毛布カバーの汚れと関係したものではなかった。冷たい風や空気を蒲団の中に入れず、布団の中の暖かい空気を布団の外に出さない為には寝ている部屋全体を暖めなければならない。部屋全体を暖めるにはエアコン、ストーブなどを用いざるを得ない。その為に電気代がかかったり火災の危険を伴ったりした。【０００３】  また、掛け布団カバーや毛布カバーの襟元が唇などで汚れても、掛け布団カバーや毛布カバーから掛け布団や毛布を出し入れするのに手間がかかり簡単に掛け布団カバーや毛布カバーを掛け布団や毛布から外して洗うことが出来なかった。左右が袋状になっている布の場合には下に垂れ下げることが出来ず外部の冷たい風や空気を布団の中に入れず布団の中の暖かい空気を外に逃がさない様にすることは出来なかった。
【考案の開示】
【考案が解決しようとする課題】
【０００４】  本考案を使わなければ肩口から入る冷たい風や空気を外気と遮断せず布団の中の暖かい空気を外部に逃がしてしまう。また掛け布団カバーや毛布カバーを掛け布団や毛布から外して襟ぐちの唇の汚れを手間がかかって簡単に洗うことが出来なかった。ボタンなどで布やバスタオルを掛け布団カバーや毛布カバーに固定しておかなければ掛け布団カバーや毛布カバーの上から下に垂らして寝ていても寝がえりをうったりして寝ている間に首を動かして垂らした布やバスタオルを掛け布団カバーや毛布カバーなどから落としたり横にずらしたりする。
【課題を解決するための手段】
【０００５】  図１の様に上部にボタンホール２又はボタンを通して止めることが出来る穴のあいた刺繍を掛け布団カバー１や毛布カバーなどに設け、それらにボタン４のついた布３やバスタオルをとめて図３の様に掛け布団カバーや毛布カバーの上面から垂らしておけば肩ぐちから入る冷たい風や空気を遮断し布団の中の暖かい空気を肩ぐちから出さず、また布やバスタオルについた汚れを布やバスタオルについたボタン４をボタンホーからはずす事によって掛け布団カバーや毛布カバーからはずして洗濯することが出来る。上面のボタンをボタンホール２にとめておけばボタン４のついた布やバスタオルが掛け布団カバーや毛布カバー、タオルケットなどから滑り落ちず、また横にもずれることが無い。また図４の様にボタンのついた布３やバスタオルを上面と下面の両面のボタンホール２にとめておけば暖かい時には掛け布団カバーや毛布カバーなどに風や空気が肩ぐちから出入りして暑くならない。【０００６】  本考案は掛け布団カバーや毛布カバーなどの肩・唇の側の上部または足の側の下部のカバーの本体の上面と下面にボタンホールを備えている。又は掛け布団カバーや毛布カバーにボタンを通してとめることが出来るいくつかの穴のあいた刺繍をしている。毛布やタオルケットやガーゼケットなどの薄いケット類は上面のボタンホールが下面に貫通しているので布は上面のボタンをボタンホールに通し、下面に貫通して出たボタンを襟もとに巻き込んだ布の下面にボタンの代わりにボタンホールを設けてそのボタンを止めることが出来る。ボタンが肌に当たらない様にする為、薄いケット類は下面からボタンをボタンホールに貫通させ、そのボタンを下面から襟をまわして上面の本体にかける布のボタンホールにとめておけばボタンが人に触れることは無い。掛け布団カバーや毛布カバーの襟もとにかける布５がある場合にも上面及び下面にボタンホール２又はボタンを通して止めることが出来る刺繍を備えておけばボタンをとめることが出来る。
【考案の効果】
【０００７】１、  肩口から布団の中に入る冷たい風や空気を遮断して布団の中の暖かい空気を布団の外に出るのを防ぐ。
２、  ボタンホールが付いた掛け布団カバー、毛布カバー、毛布、タオルケット、ガーゼのケットなどから、ボタンが付いた布やバスタオルの襟もと・口もとの汚れをボタンがついた布・バスタオルなどをカバーから外して汚れを洗うことが出来る。またボタンが付いた布やバスタオルを洗濯するためにボタンホールに付けたり外したり出来る。
３、  布やバスタオルのボタンをボタンホールやボタンを通して止められる穴のあいた刺繍に止めておけば掛け布団カバー・毛布カバーなどの襟もと・口もとを直接汚す事が無い。
４、  布やバスタオルに付けたボタンがボタンホールやボタンを止められる刺繍に止まっている限りボタンが付いた布やバスタオルが掛け布団カバーや毛布カバーから滑り落ちたり横にずれたりすることが無い。
５、  掛け布団カバーや毛布カバーなどにスナップ、ホック等に使うプラスチックなど突起物が無く、またボタンホールに使う糸以外の物が不要である。
６、  ボタンホールやボタンを通して止めることが出来る穴があいた刺繍の糸でかがった穴は柔らかく薄く、またスナップなどの突起物が無いのでボタンホールからボタンを外したり付けたりする時に手や指を傷つけることが無い。
７、  掛け布団カバーを製造する時にボタンホールに糸以外を使用することが無いので掛け布団カバーや毛布カバーを製造する者にとっては余計なものを資材として仕入れたり、またボタンホールを付ける以外に加工することが無い。
８、  ボタンやボタンホールの上下左右の間隔をカバーやタオルの業界団体であらかじめ決めておけば、どの製造業者のカバーにもボタンが付いた布をとめることが出来る。
【考案を実施するための形態】
【０００８】  掛け布団カバーや毛布カバー、毛布、タオルケットなどの唇があたる上部と足があたる下部の上面と下面にいくつかのボタンホールを備えておけば、ボタンのついた布やバスタオルを掛け布団カバーや毛布カバー、タオルケット、襟もとにかける布のボタンホールに取り付けることができる。
【実施例】
【０００９】  掛け布団カバー１や毛布カバー、毛布、タオルケット、または襟もとの布につけるボタンホール２やボタンを止めて通すことが出来る穴の周りを糸でかがったいくつかの穴のあいた刺繍を備えておけばボタンのついた布３やバスタオルをとめて布団カバーや毛布カバー、タオルケットにつけることが出来る。
ボタンホールにとめたボタンにより取り付けた布やバスタオルが滑り落ちるのを防ぎ、横にずれることも防ぐ事ができる。刺繍をする場合は敢えて下面の見ることがほとんど無いので刺繍は下面にする必要はない。掛け布団カバーや毛布カバーの下部の上面と下面にボタンホールを設けているのは洗濯した時に上下さかさまになるかも知れないからで、不要なら下部にはボタンホールは設けなくてもいい。却ってボタンホールを掛け布団カバーの上部だけに付けておいた方がカバーを掛け布団から外した時に判り易くていい。ボタンつけが出来る人ならボタンホールに合わせてボタンを布やバスタオルに付けることができる。
【図面の簡単な説明】
【００１０】
【図１】  ボタンホールを備えた掛け布団カバー上部の平面図である
【図２】  上面になる部分および下面になる部分にボタンをつけた布の底面図である
【図３】  ボタンで掛け布団カバーの上面のボタンホールに止め、ボタンで掛け布団カバーの下面に止めずに垂れ下げた布と掛け布団カバー上部の概略斜視図である
【図４】  上面も下面も掛け布団カバーのボタンホールにボタンで止めたボタンのついた布と掛け布団カバー上部の概略斜視図である
【図５】  ボタンホールを備えた布の上面の平面図である
【符号の説明】
【００１１】  １  掛け布団カバー
２  ボタンホール
３  ボタンのついた布
４  ボタン
５  掛け布団カバーの襟もとに被せる布
【図１】
0003199056.tif 000003
【図２】
0003199056.tif 000004
【図３】
0003199056.tif 000005
【図４】
0003199056.tif 000006
【図５】
0003199056.tif 000007